【手続補正書】
【提出日】平成15年10月20日(2003.10.20)
【手続補正１】
【補正対象書類名】明細書
【補正対象項目名】発明の名称
【補正方法】変更
【補正の内容】
【発明の名称】概況情報生成装置、概況情報生成プログラムを記録したコンピュータ読み取り可能な記録媒体及び概況情報生成方法
【手続補正２】
【補正対象書類名】明細書
【補正対象項目名】特許請求の範囲
【補正方法】変更
【補正の内容】
【特許請求の範囲】
【請求項１】
電子的なリソースを操作する環境であるワークスペース上で行われた活動の概況に関する情報を生成する概況情報生成装置において、
ワークスペース上で電子的なリソースを操作することで、ワークスペースの最新状態に変更を加えるワークスペース編集手段と、
前記ワークスペース編集手段によってワークスペース上で行われた操作の内容及び操作対象を、履歴情報として保持するワークスペース履歴管理手段と、
履歴情報を合成するための規則を定めた合成ルールを保持する合成ルール保持手段と、
前記合成ルール保持手段に保持された合成ルールに従って、前記ワークスペース履歴管理手段によって管理されている履歴情報を合成し、概況情報を生成する合成手段と、
を有することを特徴とする概況情報生成装置。
【請求項２】
前記ワークスペース履歴管理手段が保持している履歴情報の中から、履歴情報の検索対象とすべき対象ワークスペースを選択するワークスペース選択手段をさらに有し、
前記合成手段は、前記ワークスペース選択手段によって選択された対象ワークスペースに関連する履歴情報を合成対象とする、
ことを特徴とする請求項１記載の概況情報生成装置。
【請求項３】
前記合成ルール保持手段は、検索対象とすべきワークスペースの条件を定めた合成ルールを保持しており、
前記ワークスペース選択手段は、前記合成ルール保持手段が保持する合成ルールで定められた条件に合致したワークスペースを、検索対象として選択する、
ことを特徴とする請求項２記載の概況情報生成装置。
【請求項４】
前記合成ルール保持手段は、ユーザにより指定された指定ワークスペースと、前記指定ワークスペースとの間に所定の関係を有するワークスペースとを検索対象とすべき旨の合成ルールを保持していることを特徴とする請求項３記載の概況情報生成装置。
【請求項５】
前記合成手段は、あらかじめ決められた条件を満たしたことを契機として、履歴情報を更新することを特徴とする請求項１記載の概況情報生成装置。
【請求項６】
前記合成手段は、前記ワークスペース履歴管理手段によって管理されている履歴情報に基づいて合成ルールに適合する電子リソースを特定し、特定した電子リソースに対してリンクにより関連づけたハイパードキュメントとして、概況情報を生成することを特徴とする請求項１記載の概況情報生成装置。
【請求項７】
前記合成ルール保持手段は、ワークスペース上で電子リソースに対応付けられた属性情報が所定の条件を満たした場合には、該当する電子リソースを合成対象とすべき旨の合成ルールを保持していることを特徴とする請求項６記載の概況情報生成装置。
【請求項８】
前記合成ルール保持手段は、選択した電子リソースのうち、最新の状態から所定の時間の幅にある過去の状態に存在していた電子リソースだけを合成対象とすべき旨の合成ルールを保持していることを特徴とする請求項６記載の概況情報生成装置。
【請求項９】
前記合成手段は、ワークスペースの現在及び過去の状態の中から、合成ルールに適合する条件を満たす状態を選択し、選択した状態の内容を表示するための概況情報を生成することを特徴とする請求項１記載の概況情報生成装置。
【請求項１０】
前記合成ルール保持手段は、所定のオペレーションが行われた時点でのワークスペースの状態を選択すべき旨の合成ルールを保持していることを特徴とする請求項９記載の概況情報生成装置。
【請求項１１】
前記合成ルール保持手段は、ユーザにより指定された指定ワークスペースとの間に所定の関係を有するワークスペースを選択し、選択したワークスペースの内容を表示するための概況情報を生成することを特徴とする請求項１記載の概況情報生成装置。
【請求項１２】
前記合成手段は、ワークスペースの指定期間内の情報の変化に関する内容を含む概況情報を生成することを特徴とする請求項１記載の概況情報生成装置。
【請求項１３】
前記合成手段は、合成根拠となった合成ルールがわかるようにして、履歴情報を合成することを特徴とする請求項１記載の概況情報生成装置。
【請求項１４】
前記合成手段は、ワークスペースの縮小イメージ内に履歴情報が配置されるような表示形態となる概況情報を生成することを特徴とする請求項１記載の概況情報生成装置。
【請求項１５】
電子的なリソースを操作する環境であるワークスペース上で行われた活動の概況に関する情報を生成するための概況情報生成プログラムを記録したコンピュータ読み取り可能な記録媒体において、
ワークスペース上で電子的なリソースを操作することで、ワークスペースの最新状態に変更を加えるワークスペース編集手段、
前記ワークスペース編集手段によってワークスペース上で行われた操作の内容及び操作対象を、履歴情報として保持するワークスペース履歴管理手段、
履歴情報を合成するための規則を定めた合成ルールを保持する合成ルール保持手段、
前記合成ルール保持手段に保持された合成ルールに従って、前記ワークスペース履歴管理手段によって管理されている履歴情報を合成し、概況情報を生成する合成手段、
としてコンピュータを機能させることを特徴とする概況情報生成プログラムを記録したコンピュータ読み取り可能な記録媒体。
【請求項１６】
電子的なリソースを操作する環境であるワークスペース上で行われた活動の概況に関する情報を生成する概況情報生成方法において、
ワークスペース編集手段によって、ワークスペース上で電子的なリソースを操作することで、ワークスペースの最新状態に変更を加え、
ワークスペース履歴管理手段によって、前記ワークスペース編集手段によってワークスペース上で行われた操作の内容及び操作対象を、履歴情報として保持し、
合成ルール保持手段によって、履歴情報を合成するための規則を定めた合成ルールを保持し、
合成手段によって、前記合成ルールに従って、前記履歴情報を合成し、概況情報を生成する、
ことを特徴とする概況情報生成方法。
【手続補正３】
【補正対象書類名】明細書
【補正対象項目名】０００１
【補正方法】変更
【補正の内容】
【０００１】
【発明の属する技術分野】
本発明は情報群から得られる概況情報を生成する概況情報生成装置、概況情報生成プログラムを記録したコンピュータ読み取り可能な記録媒体及び概況情報生成方法に関し、特に電子的なリソースを操作する環境であるワークスペース上で行われた活動の概況に関する情報を生成する概況情報生成装置、概況情報生成プログラムを記録したコンピュータ読み取り可能な記録媒体及び概況情報生成方法に関する。


【手続補正４】
【補正対象書類名】明細書
【補正対象項目名】００１１
【補正方法】変更
【補正の内容】
【００１１】
また、本発明の他の目的は、ワークスペース上で行われた作業の概要を整理した文書の自動的生成をコンピュータに行わせることのできる概況情報生成プログラムを記録したコンピュータ読み取り可能な記録媒体を提供することである。
さらに、本発明の他の目的は、ワークスペース上で行われた作業の概要を整理した文書を自動的に生成することのできる概況情報生成方法を提供することである。